(57)【要約】【課題】室内の音響設計や音響調整等の用途として、吸音構造の厚みを小さく、且つ良好な外観を与えられる吸音体及び吸音ユニットを、一般家庭の室内での実用が可能なように安価に提供する。【解決手段】音源に対面する反射面をほとんど有しない吸音面１を有し、吸音面に接する一端を開口部３において開口した一定長さの筒状共鳴空間４と開口部３の反対側の一端に消音部５を有する消音室２を多数有する構造体である成形消音ユニットを成形。吸音面１に到着した直接音は、開口部３より入り、共鳴空間４を経て紡錘形の消音部５へ至り、消音部５内において、その内壁で反射し、相対する内壁からの逆位相の反射音と衝突、消音させる。【選択図】        図２
2006184412.tif 000002
【特許請求の範囲】
【請求項１】
音源に対面する反射面をほとんど有しない吸音面を有し、吸音面に接する一端を開口した一定長さの筒状共鳴空間と開口部の反対側の一端に紡錘形の消音部を有する消音室を多数有する成形消音ユニットであり、音源からの直接音を開口部より筒状共鳴室を経て紡錘形の消音部へ至らせ、消音部内の内壁で反射させ、相対する内壁からの逆位相の反射音と衝突、消音させる事により、反射音を抑え、位相干渉による建物内の音響環境悪化を改善することを特徴とするものである。
【請求項２】
前記、筒状消音室は、開口部の横断面形状を正六角形とし、ハニカム状配列とすることを特徴とする請求項１記載の成形消音ユニット。
【発明の詳細な説明】
【技術分野】
【０００１】
本発明は、室内用吸音ユニットに関する。
【背景技術】
【０００２】
従来、室内音響特性を調整するために用いられて来た高性能な吸音材は、グラスウール、ロックウールなどであるが、いずれも個人の住居内で使用されるには高価で、業務用途での使用がほとんどである。
【０００３】
個人の住居内使用を目的としたステレオ方式、サラウンド方式等、高性能なオーディオ機器が毎年莫大な数、開発、販売されているが、その実用空間である個人の住居内のための音響調整用吸音体は、オーディオ機器の数につり合うだけの数と価格で供給されている訳ではない。
【０００４】
個人の住居内において、室内の音響特性改善をしようとする際、安価な吸音体を入手できないために、玉子等の運送に用いられるパルプ製緩衝材や、ウレタン緩衝材を室内壁に使用している状態が見られる。
【０００５】
逆位相の音同士を衝突させる事による消音方法は、自動車等の排気マフラに用いられている消音装置で活用させている方法である。
【特許文献１】特開平７−１８７５５号公報
【発明の開示】
【発明が解決しようとする課題】
【０００６】
上述の如く、従来の吸音材による使用は、業務用途中心であり、個人の住居内への実用を望む事は難しい。
【０００７】
住居内において、音を聴く人物の前面にスピーカー等の音源があり、背後に壁がある場合、音源と壁の中間地点付近では、低域の音が抜け落ちてしまう現象が起る。これは、音源から発せられた音と、背後の壁面による反射音とで起る位相干渉により、音が相殺されるためであると考えられる。
【０００８】
このため、個人の住居内においては高性能なオーディオ機器を購入、使用しても、室内の反射音による位相の乱れのため、本来の音響性能を発揮できないのが実状である。
【０００９】
本発明は、このような点に鑑みて成されたものであり、その目的は、厚みの小さな成形消音ユニットに消音機能を持たせる事により、安価で且つ容易に住居内の音響特性を改善できるようにすることにある。
【課題を解決するための手段】
【００１０】
上述の目的を達成する本発明の成形消音ユニットは、音源に対面する反射面をほとんど有しない吸音面を有し、吸音面に接する一端を開口した一定長さの筒状共鳴空間と開口部の反対側の一端に紡錘形の消音部を有する消音室を多数有する、室内用成形消音構造体である。
【００１１】
本成形消音ユニットは、音源からの直接音を開口部より、筒状共鳴空間を経て、紡錘型の消音部へ至らせ、反射の際に紡錘型消音部内で相対する面で反射した逆位相の音と衝突、消音させる事により、反射音を抑え、位相干渉による建物内の音響環境悪化を改善することを特徴とするものである。
【発明の効果】
【００１２】
以上説明したように本発明によれば、厚みの小さな成形消音ユニットに消音機能を持たせる事が可能となる。この成形消音ユニットを例えば室内壁に取り付け用いる事で、安価且つ容易に室内音響特性を改善することが可能となり、位相干渉による建物内の音質悪化改善に極めて有効である。
【発明を実施するための最良の形態】
【００１３】
以下、本発明の実施の形態を図面に基づき詳細に説明する。
【００１４】
図１〜図３は、本発明の第１の実施の形態に係り、図１は外観斜視図、図２はその消音室の縦断面図をもって消音原理を示したものである。
【００１５】
本成形消音ユニット６は、室内の内装もしくは内装の上に使用される。通常の設置状態において、吸音面１が、スピーカー等の音源に対面し、消音部５が壁面側に位置する。
【００１６】
図１、図２が示すように、本成形消音ユニット６は、音源に対面する反射面をほとんど有しない吸音面を有し、吸音面に接する一端を開口部３において開口した一定長さの筒状共鳴空間４と開口部３の反対側の一端に紡錘形の消音部５を有する消音室２を多数有する構造体である。
【００１７】
筒状消音室２は吸音面１に面する開口部３と共鳴空間４と紡錘型の消音部５を有する。
【００１８】
本成形消音ユニット６を成形する材質は、消音が望まれる周波数を特に反射する素材である事が望ましい。
【００１９】
図３は、本発明の第２の実施の形態に係る、消音室の斜視構造図である。同図に示すように、開口部３及び共鳴空間４は、横断面の形状を正六角形とし、消音室をハニカム状配列とする事が、強度を保持しつつ軽量であるために望ましい。
【００２０】
消音室２における開口部３及び共鳴空間４の横断面形状を正六角形とし、消音室をハニカム状配列とする事は、吸音面１における、反射面の面積をより小さくし、本成形消音ユニットを軽量化し且つ強度を保持するためである。
【実施例】
【００２１】
本成形消音ユニット６は例えばW380mm×H180mm×D100mmの寸法を有する直方体形状をしており、屋内への設置、家屋建築時に壁、天井等に使用する際に好適なサイズとして標準化する。この事により、設計、施工、設置が容易になる。
【００２２】
以上、本発明の実施の形態及び実施例を説明したが、本発明の範囲はこれに限定されるものではない。例えば、消音室の数や直径、長さ、配列、位置、あるいは、大小の消音室を組み合わせて使用したりすることは、状況に応じて適宜選択されるものである。
【００２３】
また、消音室の吸音面に対する角度は垂直に限らず、斜めに配置、成形することも可能である。
【００２４】
さらに、実施例では、内装もしくは内装の上に使用すると説明しているが、設置位置、使用方法は、これに限られるものではなく、その他例えば、スピーカー等の音源の周囲や室内の角付近等、任意の位置、任意の角度で使用でき、形状、大きさも任意に選定することができる。
【００２５】
また、用途も室内の反射音を抑える事に限らず、主として消音材、建材として広く用いる事が可能である。
【産業上の利用可能性】
【００２６】
本発明は室内の音響特性調整のために有用な、音響用吸音材を製造、販売する産業分野で利用する事ができる。
【図面の簡単な説明】
【００２７】
【図１】本発明の第１の実施の形態に係る、成形消音ユニットの外観斜視図である。
【図２】図１の成形消音ユニットにおける消音室の縦断面図をもって消音原理を示したものである。
【図３】本発明の第２の実施の形態に係る、成形消音ユニットにおける消音室の斜視構造図である。
【符号の説明】
【００２８】
１、吸音面
２、消音室
３、消音室開口部
４、消音室共鳴空間
５、消音室消音部
６、成形消音ユニット
【図１】
2006184412.tif 000003
【図２】
2006184412.tif 000004
【図３】
2006184412.tif 000005